(57)【要約】【課題】ネットワーク型電子投票において、投票率の向上を図る。【解決手段】投票運営サーバ１０は、投票実施前、投票端末３０の有権者のうち正規に電子投票を受け付けた者を対象に抽選で懸賞を与える旨を投票端末３０に通知しておく。投票運営サーバ１０は、投票実施期間中、投票端末３０から電子投票を受け付け、投票実施後に、電子投票を行った有権者を対象として抽選を行い、懸賞の配達先および懸賞の商品を含む配達情報を配達業者サーバ４０に通知する。【選択図】図１
2005157976.tif 000002
【特許請求の範囲】
【請求項１】
ネットワークに接続可能に構成された有権者の投票端末と、当該投票端末から前記ネットワークを介して電子投票を受け付ける投票受付手段を具備する投票運営サーバとを有してなる電子投票システムにおいて、
前記投票運営サーバは、
投票実施前に、前記ネットワークを介して前記投票端末に対し、当該投票端末から前記投票受付手段にて電子投票を受け付けた場合には当該投票端末の有権者を対象に抽選で懸賞を与える旨を通知する事前通知手段と、
投票実施後に、前記投票受付手段にて電子投票を受け付けた前記投票端末から前記ネットワークを介して懸賞の申込みを受け付けるとともに、懸賞の申込みを行った者を対象に抽選を行う抽選管理手段とを有する、電子投票システム。
【請求項２】
前記投票運営サーバは、前記投票受付手段にて受け付けた電子投票を集計するとともに、電子投票の集計結果に基づいて投票率を算出する投票集計手段をさらに有し、
前記事前通知手段は、投票実施前に、前記ネットワークを介して前記投票端末に対し、投票率に応じて当選人数および懸賞内容が変動する旨をさらに通知し、
前記抽選管理手段は、前記投票集計手段にて算出された投票率に基づいて当選人数および懸賞内容を決定した上で抽選を行う、請求項１に記載の電子投票システム。
【請求項３】
前記投票集計手段は、前記投票端末から前記ネットワークを介して投票率の通知希望要求を受け付けた場合、当該投票端末に対し、前記ネットワークを介して投票率を通知する、請求項２に記載の電子投票システム。
【請求項４】
前記投票運営サーバは、投票実施後に、前記投票集計手段による電子投票の集計処理および投票率の算出処理が正当であるか否かの証明データを作成し、作成した証明データを投票実施後に前記ネットワーク上で公表する正当性証明手段をさらに有する、請求項２または３に記載の電子投票システム。
【請求項５】
有権者の投票端末からネットワークを介して電子投票を受け付ける投票受付手段を具備するサーバにおいて、
投票実施前に、前記ネットワークを介して前記投票端末に対し、当該投票端末から前記投票受付手段にて電子投票を受け付けた場合には当該投票端末の有権者を対象に抽選で懸賞を与える旨を通知する事前通知手段と、
投票実施後に、前記投票受付手段にて電子投票を受け付けた前記投票端末から前記ネットワークを介して懸賞の申込みを受け付けるとともに、懸賞の申込みを行った者を対象に抽選を行う抽選管理手段とを有する、サーバ。
【請求項６】
前記投票受付手段にて受け付けた電子投票を集計するとともに、電子投票の集計結果に基づいて投票率を算出する投票集計手段をさらに有し、
前記事前通知手段は、投票実施前に、前記ネットワークを介して前記投票端末に対し、投票率に応じて当選人数および懸賞内容が変動する旨をさらに通知し、
前記抽選管理手段は、前記投票集計手段にて算出された投票率に基づいて当選人数および懸賞内容を決定した上で抽選を行う、請求項５に記載のサーバ。
【請求項７】
前記投票集計手段は、前記投票端末から前記ネットワークを介して投票率の通知希望要求を受け付けた場合、当該投票端末に対し、前記ネットワークを介して投票率を通知する、請求項６に記載のサーバ。
【請求項８】
投票実施後に、前記投票集計手段による電子投票の集計処理および投票率の算出処理が正当であるか否かの証明データを作成し、作成した証明データを投票実施後に前記ネットワーク上で公表する正当性証明手段をさらに有する、請求項６または７に記載のサーバ。
【発明の詳細な説明】
【技術分野】
【０００１】
本発明は、選挙やアンケートの投票を実施する際に、ネットワークを介して電子投票を行うための電子投票システム、サーバに関するものである。
【背景技術】
【０００２】
従来、選挙等の投票においては、予め指定された投票所に行かないと投票することができないという場所の制約があった。そこで、最近では、遠隔地からの投票を可能とするため、有権者の投票端末からネットワークを介して電子投票を受け付ける電子投票箱を設けた電子投票システムが開示されている（特許文献１参照）。
【０００３】
以下、特許文献１に開示された電子投票システムによる電子投票の流れについて、図１４のフローチャートを参照して説明する。
【０００４】
図１４を参照すると、まず、有権者は、ＩＣカードを読み取り可能な投票端末に、ＩＤ番号、公開鍵等が記録され、投票用紙の代わりとなる投票カードを投入する（ステップ１４０１）。投票端末は、投票カードを認識すると、その投票カードに記録されている番号を基に電子投票箱にネットワークを介して自動的にアクセスする（ステップ１４０２）。
【０００５】
電子投票箱は、投票端末からのアクセスを受けると、ネットワークを介して接続されている有権者データベースと投票カードのＩＤ番号を基に、投票カードが正規のカードであるかを確認する（ステップ１４０３，１４０４）。
【０００６】
電子投票箱は、ステップ１４０４で正規のカードでないと判断した場合は、不正な投票であることを告げるメッセージを返し（ステップ１４１３）、ネットワーク接続を断する（ステップ１４１４）。これにより、不正な投票カードを用いた投票を防止することができる。
【０００７】
一方、電子投票箱は、ステップ１４０４で正規のカードであると判断すると、本投票が初回投票であるか判断する（ステップ１４０５）。
【０００８】
電子投票箱は、ステップ１４０５ですでに投票済みのカードであり、初回投票でないと判断すると、不正な投票であることを告げるメッセージを返し（ステップ１４１３）、ネットワーク接続を断する（ステップ１４１４）。これにより、同じ投票カードを用いた複数回投票を防ぐことができる。
【０００９】
電子投票箱は、ステップ１４０５で初回投票であると判断すると、投票者に、投票者本人の属性が記録された本人認証カードの投入を要求し（ステップ１４０６）、その要求に応じて投票者が本人認証カードを投票端末に投入する（ステップ１４０７）。
【００１０】
電子投票箱は、投票端末に投入された本人認証カードの内容を読み出し、読み出した内容をネットワークを介して接続されている有権者データベースの有権者情報と照合し、投票者が正当な有権者であるか否か、本人認証を行う（ステップ１４０８）。
【００１１】
電子投票箱は、ステップ１４０８で投票者が正当な有権者でないと判断した場合は、不正な投票であることを告げるメッセージを返し（ステップ１４１３）、ネットワーク接続を断する（ステップ１４１４）。これにより、投票者の成りすまし行為を防ぐことができ、正当な有権者以外の投票を防ぐことができる。
【００１２】
一方、電子投票箱は、ステップ１４０８で投票者が正当な有権者であると判断すると、投票者に投票番号の投入を要求する（ステップ１４０９）。
【００１３】
投票者は、手入力や音声入力により投票番号を入力した上で、投票データを入力して電子投票を行い（ステップ１４１０）、続いて、電子投票箱からのメッセージにより投票内容の確認を行う（ステップ１４１１，１４１２）。投票内容が間違っていれば再度投票を行い（ステップ１４１０）、投票内容が正しければネットワーク接続を断する（ステップ１４１４）。
【００１４】
この特許文献１に開示された電子投票システムによれば、有権者が場所の制約を受けることなく、投票カードを用いて遠隔地から投票を行うことができるとともに、不正な投票カードを用いた投票、同じ投票カードを用いた複数回の投票、投票者の成りすまし行為等の不正な投票行為を防ぐことができるという利点がある。
【特許文献１】特開２００２−３２５１６号公報
【発明の開示】
【発明が解決しようとする課題】
【００１５】
しかしながら、特許文献１に開示された電子投票システムは、遠隔地から投票を行ったり、不正な投票行為を防いだりすることができるという利点はあるものの、投票率の向上を主眼において構築されたものではなく、必ずしも投票率の向上を図れていなかった。
【００１６】
そこで、本発明の目的は、ネットワーク型電子投票において、投票率の向上を図ることができる電子投票システム、サーバを提供することにある。
【課題を解決するための手段】
【００１７】
上記目的を達成するために本発明の電子投票システムは、ネットワークに接続可能に構成された有権者の投票端末と、当該投票端末から前記ネットワークを介して電子投票を受け付ける投票受付手段を具備する投票運営サーバとを有してなる電子投票システムにおいて、前記投票運営サーバは、投票実施前に、前記ネットワークを介して前記投票端末に対し、当該投票端末から前記投票受付手段にて電子投票を受け付けた場合には当該投票端末の有権者を対象に抽選で懸賞を与える旨を通知する事前通知手段と、投票実施後に、前記投票受付手段にて電子投票を受け付けた前記投票端末から前記ネットワークを介して懸賞の申込みを受け付けるとともに、懸賞の申込みを行った者を対象に抽選を行う抽選管理手段とを有することを特徴とする。
【００１８】
本発明によれば、ネットワーク型電子投票に懸賞という付加価値を追加しているため、有権者の投票を行う意欲が高まることが期待でき、それにより、投票率の向上を図ることができると考えられる。
【００１９】
また、前記投票運営サーバは、前記投票受付手段にて受け付けた電子投票を集計するとともに、電子投票の集計結果に基づいて投票率を算出する投票集計手段をさらに有し、前記事前通知手段は、投票実施前に、前記ネットワークを介して前記投票端末に対し、投票率に応じて当選人数および懸賞内容が変動する旨をさらに通知し、前記抽選管理手段は、前記投票集計手段にて算出された投票率に基づいて当選人数および懸賞内容を決定した上で抽選を行うこととしても良い。
【００２０】
本発明によれば、投票率に応じて懸賞内容を変動させているため、有権者の投票を行う意欲がさらに高まることが期待できる。
【００２１】
また、前記投票集計手段は、前記投票端末から前記ネットワークを介して投票率の通知希望要求を受け付けた場合、当該投票端末に対し、前記ネットワークを介して投票率を通知することとしても良い。
【００２２】
本発明によれば、有権者は、投票端末から投票率の通知希望要求を行うことにより、その時点の投票率をリアルタイムに確認することができる。
【００２３】
また、前記投票運営サーバは、投票実施後に、前記投票集計手段による電子投票の集計処理および投票率の算出処理が正当であるか否かの証明データを作成し、作成した証明データを投票実施後に前記ネットワーク上で公表する正当性証明手段をさらにすることとしても良い。
【００２４】
本発明によれば、投票運営サーバを所有する側で、電子投票の集計結果および投票率の算出結果の正当性を証明することができる。
【発明の効果】
【００２５】
以上説明したように本発明においては、ネットワーク型電子投票に懸賞という付加価値を追加しているため、選挙やアンケートに対する有権者の関心が高まるだけでなく、投票意欲も高まることが期待でき、投票率の向上を図ることができると考えられる。
【発明を実施するための最良の形態】
【００２６】
（第１の実施形態）
図１を参照すると、本発明の第１の実施形態による電子投票システムとして、選挙の電子投票に適用される電子投票システムが示されている。この電子投票システムは、投票運営業者の投票運営サーバ１０と、投票運営業者に選挙の投票運営を依頼する選挙依頼者（自治体など）の選挙依頼者サーバ２０と、選挙に投票する権利を持つ有権者の投票端末３０と、有権者の中で実際に投票を行った投票者を対象として後述する懸賞の配達を行う配達業者の配達業者サーバ４０と、これらの構成要素を相互に接続するインターネット等であるネットワーク５０とを有している。なお、図１においては、説明の便宜のために投票端末３０が１つだけ図示されているが、実際には投票端末３０は複数設けられている。
【００２７】
投票運営サーバ１０は、投票端末３０からネットワーク５０を介して電子投票を受け付けるとともに、電子投票を行った有権者を対象として抽選を行い、懸賞の配達先の住所および懸賞内容（ＴＶ等の商品）を含む配達情報をネットワーク５０を介して配達業者サーバ４０に通知する。
【００２８】
投票端末３０は、有権者の自宅にあるパーソナルコンピュータ等であり、ネットワーク５０を介して投票運営サーバ１０にアクセスし、投票運営業者から予め付与された投票カードおよび本人認証カードの内容、投票データを入力して電子投票を行う。なお、以下の記載では、投票端末３０は、Ｗｅｂブラウザなどを利用して投票運営サーバ１０がネットワーク５０上で提供するＷｅｂサイトにアクセスし、このＷｅｂサイトのサイト画面において電子投票を行うものとするが、これ以外の方法（例えば、電子メール）で電子投票を行うこととしても良い。また、投票端末３０は、投票カードおよび本人認証カードの内容を読み取るカード読み取り機能、カードの内容を手入力もしくは音声入力等で入力する機能のいずれかを備えていれば良い。
【００２９】
配達業者サーバ４０は、投票運営サーバ１０からネットワーク５０を介して送信されてきた配達情報の受付処理と、懸賞の発送手配処理とを行う。
【００３０】
図２を参照すると、図１に示した投票運営サーバ１０の構成が示されている。この投票運営サーバ１０は、通信部１０１と、投票受付部１０２と、サイト管理部１０３と、メール管理部１０４と、有権者データベース１０５と、投票結果データベース１０６と、事前通知部１０７と、抽選管理部１０８と、投票集計部１０９と、正当性証明部１１０と、投票結果通知部１１１と、抽選データベース１１２と、配達情報通知部１１３とを有している。
【００３１】
通信部１０１は、選挙依頼者サーバ２０、投票端末３０および配達業者サーバ４０との間でネットワーク５０を介して通信を行う際のインターフェース部分である。
【００３２】
投票受付部１０２は、投票端末３０からネットワーク５０を介して電子投票を受け付けるもので、特許文献１に開示された電子投票箱に相当し、構成および動作（図１４参照）が略同一である。なお、以下の記載では、投票受付部１０１は、サイト管理部１０３によりネットワーク５０上に提供されるＷｅｂサイトのサイト画面において電子投票を受け付けるものとするが、これ以外の方法（例えば、メール管理部１０４にて受信される電子メール）で電子投票を受け付けることとしても良い。また、特許文献１に開示された電子投票箱は、ネットワークを介して接続された有権者データベースを参照して一部の処理（図１４のステップ１４０４，１４０８等）を行うのに対し、投票受付部１０１は、同じ投票運営サーバ１０内の有権者データベース１０５を参照して上記の処理を行うものとする
サイト管理部１０３は、ネットワーク５０上に提供されるＷｅｂサイトの画面の作成、管理等を行い、これらのサイト画面を通信部１０１からネットワーク５０を介して、選挙依頼者サーバ２０、投票端末３０、配達業者サーバ４０に送信することが可能である。
【００３３】
メール管理部１０４は、電子メールの作成、管理等を行い、これらの電子メールを通信部１０１からネットワーク５０を介して、選挙依頼者サーバ２０、投票端末３０、配達業者サーバ４０との間で送受信することが可能である。
【００３４】
事前通知部１０７は、投票日時や投票を受け付けるＷｅｂサイトのＵＲＬ等の投票要項を、投票実施前に事前に通信部１０１からネットワーク５０を介して投票端末３０に通知する。さらに、事前通知部１０７は、投票を行った有権者の中から抽選で懸賞を与える旨等の抽選要項を、投票実施前に事前に通信部１０１からネットワーク５０を介して投票端末３０に通知する。それにより、有権者の投票を行う意欲が高まることが期待でき、投票率の向上につながると考えられる。また、事前通知部１０７は、抽選要項として、図３に示すように、投票率に応じて当選人数および懸賞内容（ＴＶ等の商品）が変動する旨を通知する。それにより、有権者の投票を行う意欲がさらに高まることが期待できる。なお、以下の記載では、事前通知部１０７は、メール管理部１０４にて作成された電子メールで通知を行うものとするが、サイト管理部１０３によりネットワーク５０上に提供されるＷｅｂサイトのサイト画面を送信して通知を行うこととしても良い。
【００３５】
抽選管理部１０８は、投票受付部１０１にて電子投票を受け付けた有権者を対象として、当該有権者の投票端末３０からネットワーク５０を介して懸賞の申込みを受け付け、懸賞の申込み者の投票番号、懸賞の配達先となる住所を抽選データベース１１２に格納する。なお、以下の記載では、抽選管理部１０８は、サイト管理部１０３によりネットワーク５０上に提供されるＷｅｂサイトのサイト画面において懸賞の申込みを受け付けるものとするが、メール管理部１０４にて作成された電子メールで懸賞の申込みを受け付けることとしても良い。
【００３６】
また、抽選管理部１０８は、投票実施後に、当選人数や懸賞の商品を決定した上で、懸賞の申込みを受け付けた有権者を対象として抽選を行う。
【００３７】
さらに、抽選管理部１０８は、当選者の情報を、後述する投票集計部１０９により算出された投票率とともに公表する。なお、以下の記載では、抽選管理部１０８は、サイト管理部１０３によりネットワーク５０上に提供されるＷｅｂサイトのサイト画面において、上記の情報を公表するものとするが、メール管理部１０４を利用し、上記の情報を記載した電子メールをマスコミ各社（テレビ局、ラジオ局、新聞社等）に設置された端末に通知し、マスコミ各社に公表させても良い。
【００３８】
投票集計部１０９は、投票受付部１０２にて受け付けられた電子投票を集計する処理、投票率を算出する処理、投票率を含む投票結果を投票結果データベース１０６に格納する処理を行う。なお、投票集計部１０９は、投票率の情報を常時更新し、投票結果データベース１０６に格納する投票率を常に最新のデータにしているものとする。
【００３９】
また、投票集計部１０９は、有権者の投票端末３０からの投票率の通知希望要求に応じて、通信部１０１からネットワーク５０を介して投票端末３０に対し、投票率を通知する。なお、以下の記載では、投票集計部１０９は、サイト管理部１０３によりネットワーク５０上に提供されるＷｅｂサイトのサイト画面において投票率を通知するものとするが、メール管理部１０４にて作成された電子メールで通知を行うこととしても良い。
【００４０】
正当性証明部１１０は、投票集計部１０９を監視し、投票集計部１０９による電子投票の集計処理、投票率の算出処理が正当であるか否かの証明データを作成し、作成した証明データを投票実施期間経過後の所定のタイミングで、例えば、ネットワーク５０上のＷｅｂサイトにおいて公表する。正当性証明部１１０が上記の証明データを公表するタイミングは任意である。なお、正当性証明部１１０は、公知の方法で証明データを作成することができ、例えば、特開平９−２８８６５８号公報に開示されている認証データ作成手段と同様の方法で証明データを作成することができる。
【００４１】
投票結果通知部１１１は、投票実施後に、投票結果データベース１０６に格納されている投票結果を、通信部１０１からネットワーク５０を介して、選挙依頼者サーバ２０に通知する。なお、以下の記載では、投票結果通知部１１１は、メール管理部１０４にて作成された電子メールで通知を行うものとするが、サイト管理部１０３によりネットワーク５０上に提供されるＷｅｂサイトのサイト画面を送信して通知を行うこととしても良い。
【００４２】
配達情報通知部１１３は、抽選管理部１０８による抽選終了後に、抽選データベース１１２に格納されている懸賞の配達先の住所と、懸賞の商品とを含む配達情報を、通信部１０１からネットワーク５０を介して、配達業者サーバ４０に通知する。なお、以下の記載では、配達情報通知部１１３は、メール管理部１０４にて作成された電子メールで通知を行うものとするが、サイト管理部１０３によりネットワーク５０上に提供されるＷｅｂサイトのサイト画面を送信して通知を行うこととしても良い。
【００４３】
以下、本実施形態による電子投票システムの動作について説明する。
【００４４】
まず、本実施形態による電子投票システムの全体的な動作について、図４を用いて説明する。なお、図４においては、選挙依頼者が投票運営業者に対し、既に選挙の投票運営を依頼しその承諾を受けており、また、投票運営業者が有権者に対し、既に投票カードおよび本人認証カードを送付済みであるものとする。
【００４５】
図４を参照すると、投票実施前には、投票運営サーバ１０内の事前通知部１０７は、投票カードおよび本人認証カードを送付済の有権者の投票端末３０に対し、投票日時、投票を受け付けるＷｅｂサイトのＵＲＬ等の投票要項や、投票を行った有権者の中から抽選で懸賞を与える旨、図３に示すような当選人数、懸賞の商品の一覧等の抽選要項を、ネットワーク５０を介して電子メールにより通知する（ステップ４０１）。
【００４６】
投票実施期間中には、投票運営サーバ１０内の投票受付部１０２は、ネットワーク５０上のＷｅｂサイトにおいて、投票端末３０から電子投票を受け付け、投票集計部１０９は、投票受付部１０２にて受け付けられた電子投票を集計し、その時点の投票率を算出し、投票率を含む投票結果を投票結果データベース１０６に格納する（ステップ４０２）。このときの電子投票においては、投票受付部１０２と投票端末３０との間で、特許文献１に開示された電子投票システムと同一の処理（図１４参照）が行われる。
【００４７】
また、投票実施期間中には、投票運営サーバ１０内の抽選管理部１０８は、ネットワーク５０上のＷｅｂサイトにおいて、ステップ４０２で電子投票を受け付けた有権者の投票端末３０から懸賞申込みを受け付け、懸賞申込み者の投票番号および懸賞の配達先となる住所を抽選データベース１１２に格納する（ステップ４０３）。
【００４８】
さらに、投票実施期間中には、投票運営サーバ１０内の投票集計部１０９は、ネットワーク５０上のＷｅｂサイトにおいて、既に電子投票が正規に受け付けられた有権者からの投票率の通知希望要求があった場合、その有権者の投票端末３０に対し、その時点で投票結果データベース１０６に格納されている投票率を通知する（ステップ４０４）。
【００４９】
投票実施後には、投票運営サーバ１０内の抽選管理部１０８は、ステップ４０３で懸賞の申込みを受け付けた有権者を対象として抽選を行い、ネットワーク５０上のＷｅｂサイトにおいて、当選者を投票率とともに公表する（ステップ４０５）。
【００５０】
また、投票実施後には、投票運営サーバ１０内の配達情報通知部１１３は、抽選データベース１１２に格納されている懸賞の配達先すなわち当選者となった有権者の住所と、当選者に与える懸賞の商品とを含む配達情報を、ネットワーク５０を介して配達業者サーバ４０に電子メールにより通知する（ステップ４０６）。
【００５１】
さらに、投票実施後には、投票運営サーバ１０内の投票結果通知部１１１は、投票結果データベース１０６に格納されている投票結果を、ネットワーク５０を介して選挙依頼者サーバ２０に電子メールにより通知する（ステップ４０７）。
【００５２】
その他、投票実施後には、投票運営サーバ１０内の正当性証明部１１０が、投票集計部１０９による電子投票の集計処理、投票率の算出処理が正当であるか否かの証明データを、ネットワーク５０のＷｅｂサイトにおいて、公表することも行う。
【００５３】
以下、図４におけるステップ４０３の処理、ステップ４０４の処理、ステップ４０５〜４０６の処理について、順次に詳細に説明する。
【００５４】
まず、図４におけるステップ４０３の懸賞申込み処理について、図５および図６を用いて詳細に説明する。なお、この処理は、図１４における投票運営サーバ１０内の投票受付部１０２と投票端末３０とによる電子投票処理の流れの中で、ステップ１４１２（「ＹＥＳ」側）とステップ１４１４との間に挿入される。
【００５５】
図５を参照すると、投票運営サーバ１０内の抽選管理部１０８は、ステップ１４１２で有権者により投票内容が確認されると、ネットワーク５０を介して投票端末３０に対し、懸賞申込用のサイト画面を送信する（ステップ５０１。図６（ａ）の画面参照）。
【００５６】
有権者は、投票端末３０に表示された懸賞申込用のサイト画面上で、懸賞に申し込むか否かを入力し（ステップ５０２）、懸賞に申し込まない場合はネットワーク接続を断する（ステップ１４１４）。
【００５７】
ステップ５０１で有権者が懸賞に申し込む場合、抽選管理部１０８は、ネットワーク５０を介して投票端末３０に対し、懸賞の配達先入力用のサイト画面を送信する（ステップ５０３。図６（ｂ）の画面参照）。
【００５８】
有権者は、投票端末３０に表示された配達先入力用のサイト画面上で、配達先となる有権者の住所を入力する（ステップ５０４）。
【００５９】
続いて、抽選管理部１０８は、ネットワーク５０を介して投票端末３０に対し、入力内容確認用のサイト画面を送信する（ステップ５０５。図６（ｃ）の画面参照）。
【００６０】
有権者は、投票端末３０に表示された入力内容確認用のサイト画面上で、入力内容が正しいかを入力し（ステップ５０６）、正しくない場合はステップ５０１に戻る。
【００６１】
ステップ５０６で有権者により入力内容が正しいことが確認された場合、抽選管理部１０８は、有権者の投票番号である抽選番号と住所とを抽選データベース１１２に格納し（ステップ５０７）、その後にネットワーク接続を断する（ステップ１４１４）。
【００６２】
次に、図４におけるステップ４０４の投票率通知処理について、図７を用いて詳細に説明する。なお、この処理は、図１４における投票運営サーバ１０内の投票受付部１０２と投票端末３０とによる電子投票処理の流れの中で、ステップ１４０５（「ＮＯ」側）とステップ１４１３との間に挿入される。
【００６３】
図７を参照すると、投票運営サーバ１０内の投票集計部１０９は、ステップ１４０５で初回投票でないと判断された場合、すなわち電子投票が受け付けられた後の再度のアクセスであった場合、ネットワーク５０を介して投票端末３０に対し、投票率通知希望確認用のサイト画面（不図示）を送信する（ステップ７０１）。
【００６４】
有権者は、投票端末３０に表示された投票率通知希望確認用のサイト画面上で、投票率通知を希望するか否かを入力し（ステップ７０２）、希望しない場合は、投票集計部１０９は、不正投票である旨のメッセージを送信し（ステップ１４１３）、ネットワーク接続を断する（ステップ１４１４）。
【００６５】
ステップ７０２で有権者が投票率通知を希望する場合、投票集計部１０９は、投票結果データベース１０６に格納してあるその時点の投票率が掲載されたサイト画面を、ネットワーク５０を介して投票端末３０に通知し（ステップ７０３）、その後にネットワーク接続を断する（ステップ１４１４）。
【００６６】
次に、図４におけるステップ４０５〜４０６の処理について、図８および図９を用いて詳細に説明する。
【００６７】
投票運営サーバ１０内の抽選管理部１０８は、投票実施後、投票結果データベース１０６に格納されている投票率を読み出し、投票率に応じた当選人数および商品を決定する（ステップ８０１）。
【００６８】
次に、抽選管理部１０８は、抽選データベース１０６に格納されている投票番号の中から、当選人数分の投票番号をランダムに取得する（ステップ８０２）。ここで取得された投票番号の有権者が当選者となる。
【００６９】
次に、抽選管理部１０８は、当選者および投票率の情報を、ネットワーク５０上のＷｅｂサイトにおいて公表する（ステップ８０３）。
【００７０】
次に、投票運営サーバ１０内の配達情報通知部１１３は、抽選データベース１０６に格納されている懸賞の配達先の住所と、懸賞の商品とを含む、図９に示すような配達情報を、電子メールによりネットワーク５０を介して配達業者サーバ４０に通知する（ステップ８０４）。
【００７１】
その後、配達業者サーバ４０は、投票運営サーバ１０からネットワーク５０を介して送信されてきた配達情報の受付処理と懸賞の発送手配処理とを行う（ステップ８０５）。これにより、当選者となった有権者に対し、配達業者から懸賞が配達される。
【００７２】
なお、本実施形態においては、選挙依頼者が投票運営業者に選挙の投票運営を依頼するものとして説明したが、本発明はこれに限らず、選挙依頼者自身が投票運営サーバ１０を所有し、投票運営サーバ１０を用いて投票運営を行う場合にも適用可能であることは言うまでもない。
【００７３】
（第２の実施形態）
図１０を参照すると、本発明の第２の実施形態による電子投票システムとして、アンケートを実施する時の電子投票に適用される電子投票システムが示されている。具体的には、この電子投票システムは、企業等が以前に商品を購入したユーザをターゲットにしたアンケートの電子投票に適用される。この電子投票システムは、投票運営業者の投票運営サーバ６０と、投票運営業者にアンケートの投票運営を依頼するアンケート依頼者（企業など）のアンケート依頼者サーバ７０と、アンケートに投票する権利を持つ有権者の投票端末８０と、これらの構成要素を相互に接続するインターネット等であるネットワーク９０とを有している。なお、図１０においては、説明の便宜のために投票端末８０が１つだけ図示されているが、実際には投票端末８０は複数設けられている。
【００７４】
本実施形態による電子投票システムにおいては、アンケート依頼者自らが懸賞の商品を用意し、当選者に配達するため、第１の実施形態における配達業者サーバ４０に相当する構成要素が削除されている。
【００７５】
投票運営サーバ６０は、第１の実施形態における投票運営サーバ１０に相当し、構成および動作が略同一である。すなわち、この投票運営サーバ６０は、投票端末８０からネットワーク９０を介して電子投票を受け付けるとともに、電子投票を行った有権者を対象として抽選を行い、懸賞の配達先の住所等を含む配達情報をネットワーク９０を介してアンケート依頼者サーバ７０に通知する。
【００７６】
投票端末８０は、第１の実施形態における投票端末３０に相当し、構成および動作が略同一である。すなわち、この投票端末８０は、ネットワーク９０を介して投票運営サーバ６０にアクセスし、投票運営業者から予め付与された投票カードおよび本人認証カードの内容、投票データを入力して電子投票を行う。
【００７７】
アンケート依頼者サーバ７０は、アンケートを実施するための各種処理の他、投票運営サーバ６０からネットワーク９０を介して送信されてきた配達情報の受付処理や懸賞の発送手配処理等も行う。
【００７８】
図１１を参照すると、図１０に示した投票運営サーバ６０の構成が示されている。この投票運営サーバ６０は、通信部６０１と、投票受付部６０２と、サイト管理部６０３と、メール管理部６０４と、有権者データベース６０５と、投票結果データベース６０６と、事前通知部６０７と、抽選管理部６０８と、投票率集計部６０９と、正当性証明部６１０と、投票結果通知部６１１と、抽選データベース６１２とを有している。
【００７９】
本実施形態による投票運営サーバ６０は、上述のように配達業者サーバ４０が削除されたことに伴い、第１の実施形態における配達情報通知部１１３が削除されている。この配達情報通知部１１３にて行われていた配達情報の通知動作は投票結果通知部６１１にて行われる。すなわち、投票結果通知部６１１は、アンケート依頼者サーバ７０に投票結果を通知する際に、懸賞の配達先の住所等を含む配達情報を併せて通知する。
【００８０】
なお、投票運営サーバ６０内のそれ以外の構成要素、すなわち、通信部６０１、投票受付部６０２、サイト管理部６０３、メール管理部６０４、有権者データベース６０５、投票結果データベース６０６、事前通知部６０７、抽選管理部６０８、投票率集計部６０９、正当性証明部６１０、抽選データベース６１２は、それぞれ第１の実施形態における、通信部１０１、投票受付部１０２、サイト管理部１０３、メール管理部１０４、有権者データベース１０５、投票結果データベース１０６、事前通知部１０７、抽選管理部１０８、投票集計部１０９、正当性証明部１１０、抽選データベース１１２に相当し、構成および動作が略同一である。
【００８１】
以下、本実施形態による電子投票システムの動作について説明する。
【００８２】
まず、本実施形態による電子投票システムの全体的な動作について、図１２を用いて説明する。なお、図１２においては、アンケート依頼者が投票運営業者に対し、既にアンケートの投票運営を依頼しその承諾を受けており、また、投票運営業者が有権者に対し、既に投票カードおよび本人認証カードを送付済みであるものとする。
【００８３】
図１２を参照すると、まず、第１の実施形態における図４のステップ４０１〜４０５と同様に、投票運営サーバ６０が、投票実施前に、投票要項等を通知する処理（ステップ１２０１）、投票実施期間中に、電子投票を受け付ける処理（ステップ１２０２）、懸賞申込みを受け付ける処理（ステップ１２０３）、投票率を通知する処理（ステップ１２０４）、投票実施後に、抽選を行う処理（ステップ１２０５）が行われる。
【００８４】
さらに、投票実施後には、投票運営サーバ６０内の投票結果通知部６１１は、投票結果データベース１０６に格納されている投票結果だけでなく、抽選データベース１１２に格納されている懸賞の配達先の住所の情報と懸賞の商品とを含む配達情報を、電子メールによりネットワーク９０を介してアンケート依頼者サーバ７０に通知する（ステップ１２０６）。
【００８５】
次に、図１２におけるステップ１２０５〜１２０６の処理について、図１３を用いて詳細に説明する。
【００８６】
投票運営サーバ６０内の抽選管理部６０８は、投票実施後、投票結果データベース６０６に格納されている投票率を読み出し、投票率に応じた当選人数および商品を決定する（ステップ１３０１）。
【００８７】
次に、抽選管理部６０８は、抽選データベース６０６に格納されている投票番号の中から、当選人数分の投票番号をランダムに取得する（ステップ１３０２）。ここで取得された投票番号の有権者が当選者となる。
【００８８】
次に、抽選管理部６０８は、当選者および投票率の情報を、ネットワーク９０上のＷｅｂサイトにおいて公表する（ステップ１３０３）。
【００８９】
次に、投票運営サーバ６０内の投票結果通知部６１３は、投票結果データベース６０５に格納されているアンケートの投票結果だけでなく、抽選データベース６０６に格納されている懸賞の配達先の住所と懸賞の商品とを含む配達情報を、電子メールによりネットワーク９０を介してアンケート依頼者サーバ７０に通知する（ステップ１３０４）。
【００９０】
その後、アンケート依頼者サーバ７０は、投票運営サーバ６０からネットワーク９０を介して送信されてきた投票結果および配達情報の受付処理と懸賞の発送手配処理とを行う（ステップ１３０５）。これにより、当選者となった有権者に対し、アンケート依頼者から懸賞が配達される。
【００９１】
なお、本実施形態においては、アンケート依頼者が投票運営業者にアンケートの投票運営を依頼するものとして説明したが、本発明はこれに限らず、アンケート依頼者自身が投票運営サーバ６０を所有し、投票運営サーバ１０を用いて投票運営を行う場合にも適用可能であることは言うまでもない。
【図面の簡単な説明】
【００９２】
【図１】本発明の第１の実施形態による電子投票システムの構成を示す図である。
【図２】図１に示した投票運営サーバの構成を示すブロック図である。
【図３】図１に示した電子投票システムにおいて、投票端末に事前に通知される懸賞内容の一例を示す図である。
【図４】図１に示した電子投票システムの全体動作を説明する図である。
【図５】図４に示したステップ４０３の処理を詳細に説明するフローチャートである。
【図６】図５において、投票運営サーバから投票端末に送信されるサイト画面を示す図であり、（ａ）はステップ５０１で送信されるサイト画面、（ｂ）はステップ５０３で送信されるサイト画面、（ｃ）はステップ５０５で送信されるサイト画面である。
【図７】図４に示したステップ４０４の処理を詳細に説明するフローチャートである。
【図８】図４に示したステップ４０５〜４０６の処理を詳細に説明するフローチャートである。
【図９】図１に示した電子投票システムにおいて、配達業者サーバに通知される配達情報の一例を示す図である。
【図１０】本発明の第２の実施形態による電子投票システムの構成を示す図である。
【図１１】図１０に示した投票運営サーバの構成を示すブロック図である。
【図１２】図１０に示した電子投票システムの全体動作を説明する図である。
【図１３】図１２に示したステップ１２０５〜１２０６の処理を詳細に説明するフローチャートである。
【図１４】本従来例による電子投票の流れを説明するフローチャートである。
【符号の説明】
【００９３】
１０，６０    投票運営サーバ
２０    選挙依頼者サーバ
３０，８０    投票端末
４０    配達業者サーバ
５０，９０    ネットワーク
７０    アンケート依頼者サーバ
１０１，６０１    通信部
１０２，６０２    投票受付部
１０３，６０３    サイト管理部
１０４，６０４    メール管理部
１０５，６０５    有権者データベース
１０６，６０６    投票結果データベース
１０７，６０７    事前通知部
１０８，６０８    抽選管理部
１０９，６０９    投票集計部
１１０，６１０    正当性証明部
１１１，６１１    投票結果通知部
１１２，６１２    抽選データベース
１１３    配達情報通知部
【図１】
2005157976.tif 000003
【図２】
2005157976.tif 000004
【図３】
2005157976.tif 000005
【図４】
2005157976.tif 000006
【図５】
2005157976.tif 000007
【図６】
2005157976.tif 000008
【図７】
2005157976.tif 000009
【図８】
2005157976.tif 000010
【図９】
2005157976.tif 000011
【図１０】
2005157976.tif 000012
【図１１】
2005157976.tif 000013
【図１２】
2005157976.tif 000014
【図１３】
2005157976.tif 000015
【図１４】
2005157976.tif 000016